(57)【要約】【課題】海藻の生殖細胞の生育を早めた海藻類育成用のコンクリートブロックを提供する。【解決手段】多孔質コンクリートまたはその一部に普通コンクリートを使用して成形した中空構造のコンクリート製ブロック１に、腐葉土と木炭と木酢液を混合した養分土あるいはさらに酸化鉄を混合した養分土３を収容したコンクリートブロック。【選択図】      図１
2005006625.tif 000002
【特許請求の範囲】
【請求項１】
多孔質コンクリートまたはその一部に普通コンクリートを使用して成形した中空構造のコンクリート製ブロック（１）に、腐葉土と木炭と木酢液を混合した養分土（３）を収容して構成した事を特徴とする海藻類育成用コンクリートブロック。
【請求項２】
多孔質コンクリートまたはその一部に普通コンクリートを使用して成形した中空構造のコンクリート製ブロック（１）に、腐葉土と木炭と木酢液さらに酸化鉄を混合した養分土（３）を収容して構成した事を特徴とする海藻類育成用コンクリートブロック。
【発明の詳細な説明】
【０００１】
【発明の属する技術分野】
本発明は、海洋における魚貝類の資源回復のために必要な海草や食用するための海藻などを着生しまた生育を早める海藻類育成用のコンクリートブロックに関するものである。
【０００２】
【従来の技術】
健康増進と成人病予防を志し多様な食品から栄養バランスの採れた望ましい食生活において、魚貝類および海藻類は、欠かす事の出来ない一つの食品である。ところが近年、地球温暖化や人的環境破壊による影響で海洋資源が少なくなり、海洋資源で生活の基盤を築く人々にとっては死活問題である。これからは、取れるだけ取って育てる方法を取らない従来の狩猟民族的な考え方から、将来を見据えた育てる海洋資源が求められている。この事から海藻類の生殖と増養殖を図る研究が従来から行われ、多くの特許公報で紹介されている。例えば特開平１１−１３７１１７号公報には、特許請求の範囲を要約して「上部材には必要によっては凹凸模様を設けまた酸化鉄皮膜を施しあるいは鉄ファイバーを混入したポーラスコンクリート、下部材の底面には必要によっては複数の溝部を形成した普通コンクリートの複合物からなる海藻群落造成用コンクリートブロック。これらの製造時に栄養塩を混入した海藻群落造成用コンクリートブロック」が開示されている。特開２０００−４１５２５号公報には「カキ殻などの石灰質海産物の粉砕物または無粉砕物を含有させたコンクリートで形成した、岩礁用ブロック」、さらに特開２０００−２３８３９８号公報の様に「魚の餌となる藻や海洋生物などの付着度を高める酸化鉄、浄化機能を有する炭、ミネラル成分を含む貝殻などを混合したプレート状のポーラスコンクリートからなる人口漁礁部材」、この他特開２００２−２７２３０８号公報や特開２００２−２９１３５９号公報などで紹介される様に、多くの種類の海藻造成用コンクリートブロックが開発されている。これらいずれの海藻造成用コンクリートブロックも、海底に安定かつ効果的にコンブやワカメなどの海藻類を生殖しまた増養殖させると共に、海藻を餌とするアワビやウニなどの生育を早めまた魚類の産卵場と安息場も兼ねた海藻群落を提供するものである。
【０００３】
【特許文献１】
特開１１−１３７１１７号公報（第９頁、図１）
【特許文献２】
特開２０００−４１５２５号公報
【特許文献３】
特開２００２−２３８３９８号公報
【０００４】
【発明が解決しようとする課題】
上記の様に、今日まで開発された上記の様な海藻群落造成用コンクリートブロックは、海藻の生殖細胞が着生し易い様に表面に凹凸をもった空隙率の高いポーラスコンクリートで成形され、また海藻が付着し易い酸化鉄の皮膜を形成したりあるいは配合するポーラスコンクリート構造に形成されているため、櫓構造に築造したコンクリート構造物や使用されなくなった車両や船舶などを沈設したそれ以前の漁礁や海藻場に較べ、海藻類の着生と生育を早める効果を泰する。しかしながら、海流の比較的緩い海域においては充分な効果を泰するが、潮の干満が大きい海峡や台風や強い風に煽られて荒れ易い海峡においては、コンクリートブロックの表面に付着させた酸化鉄の皮膜が早い時期に流されるため、その効果を失う問題があった。
【０００５】
本発明らはこの問題を解消する事を目的に多くの実験を試みた結果、腐葉土や木炭などの養分土をコンクリートブロック内に収納する事によって、長期間にわたって使用でき、しかも海藻の生殖細胞の生育を早めた海藻類育成用のコンクリートブロックが提供できる事を知見した。本発明は、この知見に基づいて構成したものである。
【０００６】
【課題を解決するための手段】
上記の目的を達成した本発明の要旨とは、多孔質コンクリートまたはその一部に普通コンクリートを使用して成形した中空構造のコンクリート製ブロックに、腐葉土と木炭と木酢液を混合した養分土あるいはさらに酸化鉄を混合した養分土を収容して構成した海藻類育成用コンクリートブロックである。
【０００７】
【発明の実施の形態】
以下、本発明の海藻類育成用コンクリートブロックについて、図面を参照しながら詳細に説明する。
図１は、本発明の一実施例を断面図で示す。図１において、１は多孔質コンクリートまたはその一部に普通コンクリートを使用し、中空構造に成形したコンクリート製ブロックである。２は中空部分（または中空構造）を示す。本発明において、空隙を混入した多孔質コンクリートを使用する事は、海中を浮遊する海藻の生殖細胞が着生させかつ該空隙の中に海藻の根足を深く成長させる養成効果を泰する。さらに本発明において、多孔質コンクリート製ブロック１は、岩礁に載置する場合あるいは該ブロックを積み上げたりまた隣接させて海中に配置する場合に何かの衝撃を受けて形状の一部が損傷する事を防止するため、また多少の重量化を図って安定な形状と位置を維持するために、該ブロックの一部に普通のコンクリートを使用して成形してもよい。３は、コンクリート製ブロック１の中空部分２に収容された養分土である。養分土３は、コンクリート製ブロック１に着生した海藻生殖細胞の生育を早めるもので、腐葉土と木炭と木酢液を混合した養分土あるいはさらに酸化鉄を混合した養分土である。腐葉土はクヌギ、カシなどの広葉樹の落ち葉に小量の石灰窒素や尿素などの窒素肥料を散布させて腐葉化させたもので、生存する微生物が海藻に必要な植物プランクトンを作り出す欠かす事の出来ない重要な養分である。木炭は、海中に投入されたコンクリート製ブロック１の周囲の海水を浄化する機能を有する。木酢液はホルマリンの代替品で、コンクリート製ブロック１に着生して生育する海藻や寄り集まる魚貝類の病気を防止する効果を有する。これら養分で構成される養分土３は、それぞれ養分の配合比を特に規定するものでなく、腐葉土に小量の木炭と木酢液を混ぜ合わせたものであればよい。
【０００８】
さらに本発明においては、コンクリート製ブロック１の海藻類生着性や生育性を改善しまた鉄分を多く含む海藻類に成長させるために、上記した養分土３に酸化鉄を混入してもよい。
さらにまた本発明においては、必要によっては上記の養分土３にミネラル成分を含む貝殻などを混入してもよい。
この様な構造物の本発明のコンクリートブロックの製造は、特に限定されるものでなく例えば、養分土（３）を投入する挿入孔を開けて成形し固化した後養分土（３）を投入し、その後に挿入孔をコンクリートモルタルで塞いで製作される。
【０００９】
上記の様に構成された本発明の海藻類育成用コンクリートブロックは、従来から使用される海藻群落造成用コンクリートブロックと同様に、海藻群落造成予定の海底に沈設されて、海藻類の群生を待つ。海底に沈設された本発明の海藻類育成用コンクリートブロックは、ポーラスコンクリートの空隙を介して浸入しまた排出される海水が、中空部分に収納された養分土を長期間にわたって徐々に溶かしながら該ブロックの表面周囲に養分土を流出させるため、ブロック表面に着生した海藻生殖細胞の生育を一層促す作用効果を泰する。
【００１０】
【実施例】
次に本発明の実施例について説明する。
表１は、本発明の海藻類育成用コンクリートブロックを、熊本県天草地方の海岸に３ヶ月沈設し深さ５ｍ海底に、大きさ巾４０ｃｍ×長さ３５ｃｍ×３０ｃｍのそれぞれのブロックを１０個沈設した場合に、該ブロック表面に着生した海藻群の生育状況を記録したものである。また比較用に、下部材の普通コンクリートの上部に普通コンクリート部材を重ね合わせた海藻群落造成用コンクリートブロックを使用した。
2005006625.tif 000003
上記の試験結果から明らかな様に、本発明ブロック（実験番号１〜３）は、比較用ブロック（実験番号４）に較べて、海藻育成が早く、しかもブロック全体に一様に付着する試験結果を得た。
【００１０】
【発明の効果】
以上述べた様な本発明の海藻類育成用コンクリートブロックによれば、海藻類を早期に着生と生育を促す。また本発明においては、養分土を該ブロックの中程に収容するため、海流の速い海域においても長い期間にわたって養分土から海藻の生育に必要な養分を補給するため、海藻類を安定して生育させる特長がある。海藻類の成長によって多くの種類の魚貝類の宝庫となり漁獲高も一層増えるものと予想される。
【図面の簡単な説明】
【図１】本発明の海藻類育成用コンクリートブロックの一実施例を、断面図で示す。
【符号の説明】
１  コンクリート製ブロック
２  中空部分（中空構造）
３  養分土
【図１】
2005006625.tif 000004